(57)【要約】【課題】湿式空気清浄機において、洗浄水と循環する室内空気との接触面積を最大化して空気の清浄効率を向上させ、また排出される空気の湿度の調節も可能とする。【解決手段】湿式空気清浄機用のファンを、吸い込み力を発生させる複数のブレードと共に、洗浄水を前記ファン本体の周方向に噴射させるスプレーユニットをも備えた多機能ファンとする。湿式空気清浄機用のファンを、洗浄水の撒布と空気の吸い込み力の発生を同時に行う多機能ファンとすることで、空気の清浄効率が高められるとともに、湿式空気清浄機の部品点数も減らすことができる。【選択図】図１
2008515620.tif 000002
【特許請求の範囲】
【請求項１】
湿式空気清浄機用ファンであって、
前記湿式空気清浄機の空気循環路に配置され、モータにより回転されるファン本体と、
前記ファン本体の外周面に取り付けられて、室内空気を流入させるための吸い込み力を発生させる複数のブレードと、
洗浄水を前記ファン本体の周方向に噴射させることで、前記流入する空気と前記噴射された洗浄水を接触させて空気中の有害物質を前記線浄水に吸着せしめるスプレーユニットとを含むことを特徴とする湿式空気清浄機用の多機能ファン。
【請求項２】
前記ブレードのそれぞれには、前記ファン本体からブレードの上面に沿って周方向に延びる複数のガイドが設けられ、それが前記ブレードの上面に落下する洗浄水を前記ファン本体の周方向に噴射させることを特徴とする請求項１に記載の湿式空気清浄機用の多機能ファン。
【請求項３】
前記スプレーユニットが、
前記ファン本体の上面から下方へ窪むように形成されて前記洗浄水が溜まるようにした貯水部と、
前記貯水部の外側面に形成されて、ファン本体において生成される遠心力により貯水部に溜められている洗浄水をファンの周方向に噴射させる複数の噴射孔とを含むことを特徴とする請求項１に記載の湿式空気清浄機用多機能ファン。
【請求項４】
前記貯水部は、その中央にモータの回転軸が挿入される固定部を有し、前記固定部は、中央から外辺へ向かうほど高さが次第に低くなる傾斜面を有し、前記傾斜面によってファン本体の中央に落下する洗浄水が貯水部の周方向へ流されてファン本体の周方向に噴射されることを特徴とする請求項１に記載の湿式空気清浄機の多機能ファン。
【請求項５】
湿式空気清浄機であって、
空気が循環する吸込口及び吐出口が形成されているケースと、
前記ケース内の空気循環路に配置されて、前記吸込口を通して室内空気を流入させると共に、貯水した洗浄水を噴射することで、前記噴射された洗浄水を前記空気と接触させて前記空気内の有害物質を前記線浄水に吸着させる多機能ファンと、
前記洗浄水を前記空気吸込口を通して前記ファンに供給する水タンクとを含むことを特徴とする湿式空気清浄機。
【請求項６】
前記ファンは、
前記湿式空気清浄機の空気循環路に配置され、モータにより回転されるファン本体と、
前記ファン本体の外周面に取り付けられて、室内空気を流入させるための吸い込み力を発生させる複数のブレードと、
洗浄水を前記ファン本体の周方向に噴射させることで、前記流入する空気と前記噴射された洗浄水を接触させて空気中の有害物質を前記線浄水に吸着せしめるスプレーユニットとを含むことを特徴とする請求項５に記載の湿式空気清浄機。
【請求項７】
前記ブレードのそれぞれには、前記ファン本体からブレードの上面に沿って周方向に延びる複数のガイドが設けられ、それが前記ブレードの上面に落下する洗浄水を前記ファン本体の周方向に噴射させることを特徴とする請求項６に記載の湿式空気清浄機。
【請求項８】
前記スプレーユニットが、
前記ファン本体の上面から下方へ窪むように形成されて前記洗浄水が溜まるようにした貯水部と、
前記貯水部の外側面に形成されて、ファン本体において生成される遠心力により貯水部に溜められている洗浄水をファンの周方向に噴射させる複数の噴射孔とを含むことを特徴とする請求項６に記載の湿式空気清浄機。
【請求項９】
前記ファンの回転速度を制御して、それにより前記ファンからの洗浄水の噴射量を調節する手段をさらに含むことを特徴とする請求項５に記載の湿式空気清浄機。
【発明の詳細な説明】
【技術分野】
【０００１】
本発明は、湿式空気清浄機のファンに関し、特に、室内空気が循環する流路に洗浄水を噴射できるスプレーユニットを備えた湿式空気清浄機用の多機能ファンに関する。
【背景技術】
【０００２】
一般に、湿式空気清浄機は、その内部の密閉空間で洗浄水を飛散させ、室内空気をその空間を通して循環させることで、室内の空気中に含まれているホコリや有害物質が洗浄水に吸着させ、もって室内の空気を清浄に維持する装置である。
【０００３】
このような湿式空気清浄機の一例としては、「湿式空気清浄機」という名称で１９９９年５月３１に出願された日本国特許出願の公開特許公報特開２０００−３３４２４０に開示されているものが挙げられる。
【０００４】
湿式空気清浄機は、空気が空気清浄機の内部へ流入して再び外部に排出されるようにする空気循環通路を備えている。空気循環通路の一部には噴射される洗浄水を溜めておく水タンクが形成されている。また、湿式空気清浄機には空気循環通路に沿って室内空気を循環させる送風装置が設けられ、さらに密閉空間に洗浄水を噴射するスプレーユニットが設けられる。
【０００５】
送風装置は、密閉空間内に空気を吸い込ませる送風ファンと、ファンを駆動するモータとを備える。スプレーユニットは、水タンクから洗浄水を引き上げるポンプと、前記ポンプから密閉空間に供給される洗浄水を飛散させるノズルが含まれる。
【０００６】
さらに、密閉空間に供給される室内空気は、通常、上方から流入して下方へ流され、前記洗浄水は下方から上方へ噴射される。従って、空気循環流路に流入した空気がノズルにより噴射される微細な液体粒子と接触し、それによって、空気内の有害な物質が洗浄水により吸収される。
【０００７】
しかしながら、従来技術による湿式空気清浄機には、室内空気を循環させる送風装置と洗浄水を供給するスプレーユニットがそれぞれ個別に設けられる。そのため、湿式空気清浄機の部品数を低減できず、製品のコストを削減するのに限界がある。
【０００８】
また、送風ファンを駆動させるためのモータ、送風ファン、及びノズルを通じて洗浄水を噴射するためのポンプが同時に駆動されるため、湿式空気清浄機の駆動時に生じる騒音を一定値以下に抑えられないという問題がある。
【０００９】
さらに、従来技術による湿式空気清浄機は、排出される室内空気中に、ある程度の水分が常に含まれているため、湿度の低い春、秋、冬には使用が効果的であるが、湿度の高い夏期には湿式空気清浄機を用いるのに不適であるという問題がある。
【発明の開示】
【発明が解決しようとする課題】
【００１０】
本発明は、上記事情に鑑みてなされたものであって、その目的は、室内空気を循環させながらその循環通路に洗浄水を撒布できるスプレーユニットを備えており、室内空気中の有害物質を洗浄水に吸収させられるようにした湿式空気清浄機用の多機能ファンを提供することにある。
【００１１】
また、本発明の他の目的は、洗浄水をファンの周方向に噴射させるスプレーユニットを設けることによって、洗浄水と循環する室内空気との接触面積を最大にして空気清浄の効率を向上させた、湿式空気清浄機用の多機能ファンを提供することにある。
【００１２】
本発明のさらに別の目的は、前述したスプレーユニットを備えたファンを用いた湿式空気清浄機を提供することにある。
【課題を解決するための手段】
【００１３】
本発明の好ましい実施形態によれば、湿式空気清浄機用ファンであって、
前記湿式空気清浄機の空気循環路に配置され、モータにより回転されるファン本体と、
前記ファン本体の外周面に取り付けられて、室内空気を流入させるための吸い込み力を発生させる複数のブレードと、
洗浄水を前記ファン本体の周方向に噴射させることで、前記流入する空気と前記噴射された洗浄水を接触させて空気中の有害物質を前記線浄水に吸着せしめるスプレーユニットとを含むことを特徴とする湿式空気清浄機用の多機能ファンが提供される。
【００１４】
本発明の別の好ましい実施形態によれば、湿式空気清浄機であって、
空気が循環する吸込口及び吐出口が形成されているケースと、
前記ケース内の空気循環路に配置されて、前記吸込口を通して室内空気を流入させると共に、貯水した洗浄水を噴射することで、前記噴射された洗浄水を前記空気と接触させて前記空気内の有害物質を前記線浄水に吸着させる多機能ファンと、
前記洗浄水を前記空気吸込口を通して前記ファンに供給する水タンクとを含むことを特徴とする湿式空気清浄機が提供される。
【発明の効果】
【００１５】
前記のように構成される本発明によれば、貯水部及び噴射孔を有するスプレーユニットが、室内空気を循環させる送風ファンに取り付けられる。従って、前記ファンは室内空気を循環させると共に室内空気に洗浄水を噴射する多機能ファンとしての役目を果たす。そのため、洗浄水を噴射するノズルが不要となり、湿式空気清浄機の部品数を減らすことが可能となる。
【００１６】
また、本発明による多機能ファンのスプレーユニットにより空気清浄機内壁に噴射される洗浄水により陰イオンが生成されるため、より快適な室内環境を実現できるという利点がある。
【００１７】
さらに、本発明による湿式空気清浄機用の多機能ファンは、モータの速度を調節することで、吐出される室内空気の湿度を簡単に調節できる。従って、どんな季節でも適当な空気清浄操作及び加湿操作を行えるという利点が得られる。
【発明を実施するための最良の形態】
【００１８】
以下、添付の図面を参照し、本発明による湿式空気清浄機用の多機能ファンの一実施例について詳細に説明する。
【００１９】
図１は、本発明による多機能ファンを用いた湿式空気清浄機を示す。
【００２０】
図１に示すように、本発明の多機能ファンが用いられる湿式空気清浄機は、室内空気２４が循環する吸込口５２及び吐出口５４が形成されているケース５０と、前記ケース５０の上部に設けられて吸込口５２を通じて洗浄水２６が供給される水タンク（図示せず）と、湿式空気清浄機の室内空気循環流路に配置される多機能ファン１００とを含む。前記多機能ファン１００は、前記吸込口５２を通じて室内空気２４を流入させると共に、水タンクから自由落下する洗浄水２６を噴射して室内空気２４と接触しながら有害物質が吸着されるようにする役目を果たす。
【００２１】
図２及び図３は、図１に示した湿式空気清浄機用の多機能ファンの詳細な構造を示す。
【００２２】
本発明による湿式空気清浄機用の多機能ファン１００は、モータの回転軸４０に固定されてモータ（図示せず）の駆動によって回転するファン本体１０と、前記ファン本体１０の周面に形成されてファン本体１０と共に回転されることで、室内空気が吸込口５２を通じて室内空気を流入させる複数のブレード２０と、前記ファン本体１０に取り付けられて、洗浄水２６を室内空気の循環流路の内部に噴射させるスプレーユニット３０とを備える。
【００２３】
本発明によれば、前記ブレード２０のそれぞれには、前記ファン本体１０からブレードの上面に沿って径方向に延びる複数のガイド２２が形成される。前記ガイド２２は、前記ブレード２０の上面に自由落下する洗浄水２６がファン本体１０の周方向に分散されるようにする。即ち、前記ガイド２２は、図１に示すように、ブレード２０の形状に合わせて曲線状に形成されて洗浄水をより効率よく飛散させる。
【００２４】
そして、前記スプレーユニット３０は、前記ファン本体１０の上面から下方へ窪むように形成されて上方から自由落下する洗浄水２６が溜まるようにした貯水部３２と、前記貯水部３２の周面に形成されてファン本体１０で生成される遠心力により貯水部３２に溜められている洗浄水２６をファン本体１０の周方向に噴射させる複数の噴射孔３４とを含む。
【００２５】
前記貯水部３２は、その中央にモータの回転軸４０が挿入される固定部３６を有し、前記固定部３６は中央から外辺へ向かうほど高さが次第に低くなる傾斜面３８を有する。この傾斜面により、ファン本体１０の中央に落下する洗浄水２６が貯水部３２の外辺へ流されてファン本体１０の周方向に噴射されるようになる。
【００２６】
以下、前記のように構成される本発明による湿式空気清浄機用の多機能ファンの動作を説明する。
【００２７】
まず、使用者の操作により湿式空気清浄機が始動されると、前記モータが駆動されて多機能ファン１００が回転し、前記吸込口５２を通じて空気２４が流れ込む。
【００２８】
湿式空気清浄機の内部に流入した空気２４は、図１に示すように、前記多機能ファン１００を通過した後、吐出口５４を通じて再び室内に排出されることで循環する。このとき、多機能ファン１００の上面に供給される洗浄水２６は、ファン本体１０に形成されている貯水部３２に溜められた後に回転するファン本体１０の遠心力により噴射孔３４を通じてファン本体１０の周方向に飛散する。
【００２９】
そして、前記ブレード２０の上面に落下する洗浄水２６も、ブレード２０に形成されているガイド２２に沿ってファン本体１０の周方向に噴射される。従って、洗浄水２６の飛散効果を最大化して洗浄水と室内空気との接触面積が最大にすることができる。さらに、ケース５０の内壁に強い衝突を発生させて陰イオンの生成も促進される。
【００３０】
ここで、前記ブレード２０に接触する空気の摩擦力は、相対的に大きいため、ブレード２０と空気との間の摩擦が大きく発生するブレード２０に洗浄水を供給すれば、水と空気との摩擦によって洗浄効果（scrubbing effect）が最大化されて、異物の吸着効率が向上する。
【００３１】
また、前記モータの回転数を加減させることで、前記ブレード２０による水と空気との接触面積を調節できる。より詳細には、前記ブレード２０の面積と回転数との積（回転数×ブレード面積）に水と空気の接触面積が比例することから、モータの回転数を増加させれば、水と空気の接触面積が増加することになる。
【００３２】
前記のように飛散した洗浄水は、多機能ファン１００を通過すると共に室内空気中の有害物質を吸着し、空気清浄機の内壁に衝突することで、陰イオンを発生させる。従って、室内に快適な空気を供給できる。
【００３３】
また、図１に示すように、多機能ファン１００が設けられているケース５０の内壁に金網６０を取り付けることにより、洗浄水、即ち細かい水の粒子が金網６０と衝突して陰イオンの生成が増加する。ここで、前記金網６０以外にも、陰イオンの生成を促進するようないかなる公知の手段が設けられても構わない。
【００３４】
さらに、本発明による湿式空気清浄機用の多機能ファン１００は、ファン本体１０を回転させるモータの速度を調節することで、飛散する洗浄水の飛散の程度を簡単に調節できる。もし、モータの回転速度が大きければ、飛散する洗浄水も大量になる。一方、モータの速度を一定値以下に抑えると、飛散する洗浄水の量が減少して吐出される室内空気中の水分が減少する。
【００３５】
従って、モータの速度を制御することで、湿度の高い夏期及び梅雨期または、湿度の低い春、秋、冬を含む全ての季節の湿度に応じて空気清浄機を適切に動作させることができる。
【００３６】
以上、本発明の好ましい実施例について説明したが、当業者であれば特許請求の範囲に記載の本発明の範囲を逸脱することなく実施形態の多様な変更が可能であろう。
【図面の簡単な説明】
【００３７】
【図１】本発明による湿式空気清浄機を示す図。
【図２】図１に示す湿式空気清浄機用の多機能ファンを示す斜視図。
【図３】図２に示す湿式空気清浄機用の多機能ファンを示す断面図。
【図１】
2008515620.tif 000003
【図２】
2008515620.tif 000004
【図３】
2008515620.tif 000005
【国際調査報告】
2008515620.tif 000006
2008515620.tif 000007